(57)【要約】【課題】Ａ５〜Ｂ３サイズ程度のスクリーン立てに１２インチ〜３０インチ程度のスクリーンを取りつけて、書類用カバンに収納して運ぶことができ、手のひらサイズの液晶プロジェクターで手軽に投光して映像を見ることができる映写用スクリーン卓上装置を提供する。【解決手段】断面コ字形の書類綴じファイル状のファイリング状物１０Ｑの両側端１１Ｑ、１１Ｑの裏面に、スクリーン２０Ｑの両側端を固着し、下端１３Ｑ及び上端１４Ｑに折線３００Ｑ及び４００Ｑによる折込みにより形成した角形パイプ状物３０Ｑ及び４０Ｑを連設し、ファイリング状物１０Ｑを開いて、スクリーン２０Ｑを平面的に拡げたとき、開き角度を固定し、ファイリング状物１０Ｑを閉じたとき、スクリーン２０Ｑを折れることなく折り曲げて収納できるようにしたもの。【選択図】        図Ｑ−２
2010176109.tif 000002
【特許請求の範囲】
【請求項１】
合成樹脂製、布製、紙製等の反射型映写用スクリーン、透過型映写用スクリーン又は反射型及び透過型両用映写用スクリーン（以下、単にスクリーンという。）を収納して、前記スクリーンを折り畳むときは、折目をつけずに曲げることができ、前記スクリーンを使用するときは、平面状に張ることができるように形成された、すべての箱状物、又は、書類とじのファイリング状物が、前記スクリーンを折り曲げて携帯するときは、偏平な形状になり、前記スクリーンを使用するときは、卓上に立てて開き角度を固定できるようにしたことを特徴とした映写用スクリーン卓上装置。
【請求項２】
前記箱状物が、トレイ状の２個の箱体部分から形成され、各箱体部分の一方側が開閉し、他方側がヒンジ状に回動できるように形成され、前記各箱体部分の一方側の裏面に前記スクリーンの両側端がそれぞれ固着され、前記各箱体部分の一方側を大きく開いて前記スクリーンを平面状に張設したとき、前記２つの箱体部分の開き角度を前記２つの箱体部分に取りつけた固定具を介して卓上に固定でき、前記２つの箱体部分を閉じて前記スクリーンを折り曲げたとき、前記スクリーンに折目をつけずに曲げることができると共に、携帯に便利な偏平形状に形成できるようにしたことを特徴とした請求項１記載の映写用スクリーン卓上装置。
【請求項３】
前記ファイリング状物が、一方の両側端が両開き可能に形成され、他方の両側端が断面コ字状に折り曲げられ、前記一方の両側端裏面に前記スクリーンの両側端がそれぞれ固着され、前記一方の両側端を大きく開いて前記スクリーンを平面状に張設したとき、前記一方の両側端の開き角度を上端、下端又は折曲部に取りつけた固定具を介して卓上に固定でき、前記一方の両側端を閉じて前記スクリーンを折り曲げたとき、前記スクリーンに折目をつけずに曲げることができると共に、携帯に便利な偏平形状に形成できるようにしたことを特徴とした請求項１記載の映写用スクリーン卓上装置。
【請求項４】
前記固定具が、前記箱状物又は前記ファイリング状物の上端又は下端に取りつけられた縁材からなることを特徴とする請求項１、２又は３記載の映写用スクリーン卓上装置。
【請求項５】
前記固定具が、前記箱状物又は前記ファイリング状物の両側端の上端又は下端に取りつけられた溝付き材からなることを特徴とする請求項１、２又は３記載の映写用スクリーン卓上装置。
【請求項６】
前記固定具が、前記箱状物又は前記ファイリング状物の下端に取りつけられた粘着材からなることを特徴とする請求項１、２又は３記載の映写用スクリーン卓上装置。
【請求項７】
前記固定具が、前記箱状物又は前記ファイリング状物の下端に取りつけられた吸着盤からなることを特徴とする請求項１、２又は３記載の映写用スクリーン卓上装置。
【請求項８】
前記固定具が、前記箱状物又は前記ファイリング状物に取りつけられたバネ材からなることを特徴とする請求項１、２又は３記載の映写用スクリーン卓上装置。
【請求項９】
前記固定具が、前記箱状物又は前記ファイリング状物の上端又は下端に取りつけられたかみ合い材からなることを特徴とする請求項１、２又は３記載の映写用スクリーン卓上装置。
【発明の詳細な説明】
【技術分野】
【０００１】
本発明は、卓上で使用される映写用スクリーン装置に関する。
【背景技術】
【０００２】
従来、液晶プロジェクターを投影する場合の卓上用の映写用スクリーンは、特開２００６−７２２９１号公報に示すように、４０インチ以上のロール巻き自立型のものが主流であった。しかし、少人数に対する説明の場合は、４０インチ以上のスクリーンは必要でなく、３０インチ程度で充分で、また、壁を使って投影する場合は、壁の凹凸、汚損やテーブルの移動などが問題となることが多く、外来者には使用しにくい。さらに、従来のロール巻き自立型のものは、高価で、比較的大きく、重く、女性や老齢者の負担が大きく、その上、携帯に不便であった。そこで本発明者は、最近ＬＥＤを採用した手のひらサイズの小型プロジェクターが出現したことから、書類入れのプラスチックケースやファイリング書類綴じのような形状物に折り畳んで収容でき、簡単迅速に卓上に置いて使用できる極めて軽量小型の卓上型スクリーン装置を開発することに成功した。
【先行技術文献】
【特許文献】
【０００３】
【特許文献１】特開２００６−７２２９１号公報
【特許文献２】特開平０９−２３０５０３号公報
【特許文献３】特開平０９−２３０５０５号公報
【特許文献４】特開平１０−４８７４９号公報
【特許文献５】特開２００３−１５２２６号公報
【発明の概要】
【発明が解決しようとする課題】
【０００４】
本発明は、液晶プロジェクターにより反射、透視又は双方の投影ができる映写用スクリーン卓上装置を提供するものである。
また、本発明は、スクリーンサイズが約１２〜３０インチ程度が可能で、スクリーン立てが約Ａ５〜Ｂ３サイズ程度に折り畳まれる映写用スクリーン卓上装置を提供するものである。
さらに、本発明は、構造簡単で、安価につく映写用スクリーン卓上装置を提供するものである。
【課題を解決するための手段】
【０００５】
本発明映写用スクリーン卓上装置の請求項１の発明は、上記課題を達成するため、図示するように、合成樹脂製、布製、紙製等の反射型映写用スクリーン、透過型映写用スクリーン又は反射型及び透過型両用映写用スクリーン（以下、単にスクリーンという。）を収納して、前記スクリーンを折り畳むときは、折目をつけずに曲げることができ、前記スクリーンを使用するときは、平面状に張ることができるように形成された、すべての箱状物、又は、書類とじのファイリング状物が、前記スクリーンを折り曲げて携帯するときは、偏平な形状になり、前記スクリーンを使用するときは、卓上に立てて開き角度を固定できるようにしたものである。
また、本発明映写用スクリーン卓上装置の請求項２の発明は、上記課題を達成するため、図示するように、請求項１記載の発明において、前記箱状物が、トレイ状の２個の箱体部分から形成され、各箱体部分の一方側が開閉し、他方側がヒンジ状に回動できるように形成され、前記各箱体部分の一方側の裏面に前記スクリーンの両側端がそれぞれ固着され、前記各箱体部分の一方側を大きく開いて前記スクリーンを平面状に張設したとき、前記２つの箱体部分の開き角度を前記２つの箱体部分に取りつけた固定具を介して卓上に固定でき、前記２つの箱体部分を閉じて前記スクリーンを折り曲げたとき、前記スクリーンに折目をつけずに曲げることができると共に、携帯に便利な偏平形状に形成できるようにしたものである。
また、本発明映写用スクリーン卓上装置の請求項３の発明は、上記課題を達成するため、図示するように、前記ファイリング状物が、一方の両側端が両開き可能に形成され、他方の両側端が断面コ字状に折り曲げられ、前記一方の両側端裏面に前記スクリーンの両側端がそれぞれ固着され、前記一方の両側端を大きく開いて前記スクリーンを平面状に張設したとき、前記一方の両側端の開き角度を上端、下端又は折曲部に取りつけた固定具を介して卓上に固定でき、前記一方の両側端を閉じて前記スクリーンを折り曲げたとき、前記スクリーンに折目をつけずに曲げることができると共に、携帯に便利な偏平形状に形成できるようにしたものである。
また、本発明映写用スクリーン卓上装置の請求項４の発明は、上記課題を達成するため、図示するように、請求項２又は請求項３記載の発明において、前記固定具が、前記箱状物又は前記ファイリング状物の上端又は下端に取りつけられた縁材からなるものである。
また、本発明映写用スクリーン卓上装置の請求項５の発明は、上記課題を達成するため、図示するように、請求項２又は請求項３記載の発明において、前記固定具が、前記箱状物又は前記ファイリング状物の両側端の上端又は下端に取りつけられた溝付き材からなるものである。
また、本発明映写用スクリーン卓上装置の請求項６の発明は、上記課題を達成するため、図示するように、請求項２又は請求項３記載の発明において、前記固定具が、前記箱状物又は前記ファイリング状物の下端に取りつけられた粘着材からなるものである。
また、本発明映写用スクリーン卓上装置の請求項７の発明は、上記課題を達成するため、図示するように、請求項２又は請求項３記載の発明において、前記固定具が、前記箱状物又は前記ファイリング状物の下端に取りつけられた吸着盤からなるものである。
また、本発明映写用スクリーン卓上装置の請求項８の発明は、上記課題を達成するため、図示するように、請求項２又は請求項３記載の発明において、前記固定具が、前記箱状物又は前記ファイリング状物に取りつけられたバネ材からなるものである。
また、本発明映写用スクリーン卓上装置の請求項９の発明は、上記課題を達成するため、図示するように、請求項２又は請求項３記載の発明において、前記固定具が、前記箱状物又は前記ファイリング状物の上端又は下端に取りつけられたかみ合い材からなるものである。
【発明の効果】
【０００６】
本発明によれば、いわゆるケース形ファイルの箱状物や、書類綴じ形バインダのファイル状物に映写用スクリーンを収容して携帯でき、使用時には、卓上で迅速にスクリーンを直立し、開き角度を固定して液晶プロジェクターでスクリーンの前方又は後方から投光してスクリーンに映像を投影することができ、構造簡単、小型かつ安価に製作できる上に、液晶プロジェクターの小型化と相俟って携帯性、軽量性その他の実用的価値は極めて高い。
【図面の簡単な説明】
【０００７】
【図Ａ−１】本発明実施例の閉じた状態の斜視図である。
【図Ａ−２】図Ａ−１の開いた状態の斜視図である。
【図Ａ−３】図Ａ−２の別の斜視図である。
【図Ａ−４】図Ａ−１の使用状態説明図である。
【図Ａ−５】図Ａ−１に圧縮巻バネを取りつけた状態の斜視図である。
【図Ａ−６】図Ａ−５の開いた状態の斜視図である。
【図Ａ−７】図Ａ−６の別の斜視図である。
【図Ｂ−１】本発明の別の実施例の閉じた状態の斜視図である。
【図Ｂ−２】図Ｂ−１の開いた状態の斜視図である。
【図Ｂ−３】図Ｂ−２の別の斜視図である。
【図Ｂ−４】図Ｂ−１の使用状態説明図である。
【図Ｃ−１】本発明の別の実施例の閉じた状態の斜視図である。
【図Ｃ−２】図Ｃ−１の開いた状態の斜視図である。
【図Ｃ−３】図Ｃ−２の別の斜視図である。
【図Ｃ−４】図Ｃ−１の使用状態説明図である。
【図Ｄ−１】本発明の別の実施例の閉じた状態の斜視図である。
【図Ｄ−２】図Ｄ−１の開いた状態の斜視図である。
【図Ｄ−３】図Ｄ−２の別の斜視図である。
【図Ｄ−４】図Ｄ−１の使用状態説明図である。
【図Ｅ−１】本発明の別の実施例の閉じた状態の斜視図である。
【図Ｅ−２】図Ｅ−１の開いた状態の斜視図である。
【図Ｅ−３】図Ｅ−２の別の斜視図である。
【図Ｅ−４】図Ｅ−１の使用状態説明図である。
【図Ｅ−５】図Ｅ−１の固定具の説明図である。
【図Ｅ−６】図Ｅ−１の固定具の別の説明図である。
【図Ｅ−７】図Ｅ−１の固定具のさらに別の説明図である。
【図Ｅ−８】図Ｅ−１の別の使用状態説明図である。
【図Ｆ−１】本発明の別の実施例の閉じた状態の斜視図である。
【図Ｆ−２】図Ｆ−１の開いた状態の斜視図である。
【図Ｆ−３】図Ｆ−２の別の斜視図である。
【図Ｆ−４】図Ｆ−１の使用状態説明図である。
【図Ｇ−１】本発明の別の実施例の閉じた状態の斜視図である。
【図Ｇ−２】図Ｇ−１の開いた状態の斜視図である。
【図Ｇ−３】図Ｇ−２の別の斜視図である。
【図Ｇ−４】図Ｇ−１の使用状態説明図である。
【図Ｈ−１】本発明の別の実施例の閉じた状態の斜視図である。
【図Ｈ−２】図Ｈ−１の開いた状態の斜視図である。
【図Ｈ−３】図Ｈ−２の別の斜視図である。
【図Ｈ−４】図Ｈ−１の使用状態説明図である。
【図Ｉ−１】本発明の別の実施例の閉じた状態の斜視図である。
【図Ｉ−２】図Ｉ−１の開いた状態の斜視図である。
【図Ｉ−３】図Ｉ−２の別の斜視図である。
【図Ｉ−４】図Ｉ−１の使用状態説明図である。
【図Ｊ−１】本発明の別の実施例の閉じた状態の斜視図である。
【図Ｊ−２】図Ｊ−１の開いた状態の斜視図である。
【図Ｊ−３】図Ｊ−２の別の斜視図である。
【図Ｊ−４】図Ｊ−１の使用状態説明図である。
【図Ｊ−５】図Ｊ−１の固定具の説明図である。
【図Ｋ−１】本発明の別の実施例の閉じた状態の斜視図である。
【図Ｋ−２】図Ｋ−１の開いた状態の斜視図である。
【図Ｋ−３】図Ｋ−２の別の斜視図である。
【図Ｋ−４】図Ｋ−１の使用状態説明図である。
【図Ｋ−５】図Ｋ−３に使用した固定具の説明図である。
【図Ｌ−１】本発明の別の実施例の閉じた状態の斜視図である。
【図Ｌ−２】図Ｌ−１の開いた状態の斜視図である。
【図Ｌ−３】図Ｌ−２の別の斜視図である。
【図Ｌ−４】図Ｌ−１の使用状態説明図である。
【図Ｍ−１】本発明の別の実施例の閉じた状態の斜視図である。
【図Ｍ−２】図Ｍ−１の開いた状態の斜視図である。
【図Ｍ−３】図Ｍ−２の別の斜視図である。
【図Ｍ−４】図Ｍ−１の使用状態説明図である。
【図Ｎ−１】本発明の別の実施例の閉じた状態の斜視図である。
【図Ｎ−２】図Ｎ−１の開いた状態の斜視図である。
【図Ｎ−３】図Ｎ−２の別の斜視図である。
【図Ｎ−４】図Ｎ−１の使用状態説明図である。
【図Ｐ−１】本発明の別の実施例の閉じた状態の斜視図である。
【図Ｐ−２】図Ｐ−１の開いた状態の斜視図である。
【図Ｐ−３】図Ｐ−２の別の斜視図である。
【図Ｐ−４】図Ｐ−１の使用状態説明図である。
【図Ｑ−１】本発明の別の実施例の閉じた状態の斜視図である。
【図Ｑ−２】図Ｑ−１の開いた状態の斜視図である。
【図Ｑ−３】図Ｑ−２の別の斜視図である。
【図Ｑ−４】図Ｑ−１の使用状態説明図である。
【図Ｑ−５】ファイリング状物の展開図である。
【図Ｒ−１】本発明の別の実施例の閉じた状態の斜視図である。
【図Ｒ−２】図Ｒ−１の開いた状態の斜視図である。
【図Ｒ−３】図Ｒ−２の別の斜視図である。
【図Ｒ−４】図Ｒ−１の使用状態説明図である。
【図Ｒ−５】ファイリング状物の展開図である。
【発明を実施するための形態】
【０００８】
本発明を実施するための最良の形態が実施例１乃至１７に示されている。
【実施例１】
【０００９】
本発明映写用スクリーン卓上装置の実施例１は、図Ａ−１乃至図Ａ−４に示すように、箱状物１０Ａとスクリーン２０Ａと固定具３０Ａとを備えている。箱状物１０Ａは、透明合成樹脂薄板製の角形トレー状の各箱体部分１０１Ａを２つ合わせたタイプのものであって、書類や用紙を綴じることなくバラ入れができるようにした、いわゆるケースファイルタイプのもので、各箱体部分１０１Ａの一方側１１Ａ、１１Ａが開閉具１１１Ａによって開閉可能に形成され、各箱体部分１０１Ａの他方側１２Ａ、１２Ａがヒンジ状の回動片１２１Ａによって回動可能に形成されている。
さらに、下端１３Ａには両面粘着テープからなる固定具３０Ａが取りつけられ、各箱体部分の一方側１１Ａ、１１Ａを開いてスクリーン２０Ａを平面状に張設して卓上に開き角度を固定できるようにしている。また、各箱体部分の一方側１１Ａ、１１Ａを閉じたときは、構造強度を維持してスクリーン２０Ａを折目をつけることなく曲げることができる。
なお、図Ａ−５乃至図Ａ−７に示すように、箱状物１０Ａの各箱体部分１０１Ａの裏面に、２個の箱体部分１０１Ａに橋渡しされる圧縮バネ５０Ａを取りつけた場合は、箱状物１０Ａを開いたとき、開き角度を維持することができる。圧縮バネの代りにピアノ線を使用してもよい。
従って、スクリーン２０Ａが平面的に広げられるように開いて、液晶プロジェクター５０Ａを投光すれば、スクリーン２０Ａに映像を投影することができる。
【実施例２】
【００１０】
本発明映写用スクリーン卓上装置の実施例２は、図Ｂ−１乃至図Ｂ−４に示すように、箱状物１０Ｂとスクリーン２０Ｂと固定具３０Ｂとを備えている。箱状物１０Ｂは、透明合成樹脂薄板製の角形トレー状の箱体部分１０１Ｂを２つ合わせたタイプのものであって、書類や用紙を綴じることなくバラ入れができるようにした、いわゆるケースファイルタイプのもので、各箱体部分１０１Ｂの一方側１１Ｂ、１１Ｂが１対のいわゆるマジックテープ１１１Ｂによって開閉可能に形成され、各箱体部分１０１Ｂの他方側１２Ｂ、１２Ｂが１対の回転片１２１Ｂによってヒンジ状に回動可能に形成されている。
さらに、下端１３Ｂ、１３Ｂには吸着盤からなる固定具３０Ｂが取りつけられ、各箱体部分１０１Ｂの一方側１１Ｂ、１１Ｂを開いてスクリーン２０Ｂを平面状に張設したとき、卓上に開き角度を固定できるようにしている。
また、一方側１１Ｂ、１１Ｂを閉じたときは、スクリーン２０Ｂを折目をつけることなく曲げることができる。
従って、スクリーン２０Ｂが平面的に広げられるように開いて、液晶プロジェクター５０Ｂを投光すれば、スクリーン２０Ｂに映像を投影することができる。
【実施例３】
【００１１】
本発明映写用スクリーン卓上装置の実施例３は、図Ｃ−１乃至図Ｃ−４に示すように、箱状物１０Ｃとスクリーン２０Ｃと固定具３０Ｃとを備えている。箱状物１０Ｃは、透明合成樹脂薄板製の角形トレー状の各箱体部分１０１Ｃを２つ合わせたタイプのものであって、ＤＶＤ又はＶＨＳ等のケースタイプのもので、各箱体部分１０１Ｃの一方側１１Ｃ、１１Ｃが閉じ具１１１Ｃによって開閉可能に形成され、各箱体部分１０１Ｃの他方側１２Ｃ、１２Ｃが折り板１２１Ｃを介して回転可能に形成されている。
さらに、下端１３Ｃには再剥離可能の剥離紙付の粘着シートからなる固定具３０Ｃが取りつけられ、一方側１１Ｃ、１１Ｃを開いてスクリーン２０Ｃを平面状に張設したとき、卓上に開き角度を固定できるようにしている。
また、一方側１１Ｃ、１１Ｃを閉じたときは、スクリーン２０Ｃを折目をつけることなく曲げることができる。
従って、スクリーン２０Ｃが平面的に広げられるように開いて、液晶プロジェクター５０Ｃを投光すれば、スクリーン２０Ｃに映像を投影することができる。
【実施例４】
【００１２】
本発明映写用スクリーン卓上装置の実施例４は、図Ｄ−１乃至図Ｄ−４に示すように、箱状物１０Ｄとスクリーン２０Ｄと固定具３０Ｄとを備えている。箱状物１０Ｄは、透明合成樹脂薄板製の角形トレー状の各箱体部分１０１Ｄを２つ合わせたタイプのものであって、書類や用紙を綴じることなくバラ入れができるようにした、いわゆるケースファイルタイプのもので、各箱体部分１０１Ｄの一方側１１Ｄ、１１Ｄが閉じ具１１１Ｄによって開閉可能に形成され、他方側１２Ｄ、１２Ｄが回転片１２１Ｄによって回転可能に形成されている。
さらに、下端１３Ｄには吸着盤からなる固定具３０Ｄが取りつけられ、一方側１１Ｄ、１１Ｄを開いてスクリーン２０Ｄを平面状に張設して卓上に開き角度を固定できるようにしている。
また、一方側１１Ｄ、１１Ｄを閉じたときは、スクリーン２０Ｄを折目をつけることなく曲げることができる。
従って、スクリーン２０Ｄが平面的に広げられるように開いて、液晶プロジェクター５０Ｄを投光すれば、スクリーン２０Ｄに映像を投影することができる。
【実施例５】
【００１３】
本発明の実施例５が、図Ｅ−１乃至図Ｅ−７に示されている。本発明実施例５の映写用スクリーン卓上装置は、ファイリング状物１０Ｅとスクリーン２０Ｅと固定具３０Ｅからなる。
ファイリング状物１０Ｅは、断面コ字状の書類綴じファイル状のもので、高度の透明性を有し、一方側１１Ｅ、１１Ｅの裏面に、スクリーン２０Ｅの両側端を固着し、閉じたときは、スクリーン２０Ｅを折れることなく曲げて畳むことができるように形成されている。また、ファイリング状物１０Ｅは、開いたときは、スクリーン２０Ｅを平面状に緊張して拡げられるように形成されている。その際に、ファイリング状物１０Ｅの下端１３Ｅの裏面１０２Ｅにフィルム３００Ｅが粘着３１Ｅして折り曲げられて、表面１０１Ｅに再剥離可能に粘着３２Ｅすると共に、表面１０１Ｅへの粘着を剥離して、フィルム３００Ｅに粘着３３Ｅする部分を剥離すれば、その部分を卓上に粘着させて、１０Ｅがスクリーンを平面的に拡げた状態を維持できる開き角度に固定できる固定片３０Ｅとして使用することができる。
また、一方側１１Ｅ、１１Ｅを開いて、スクリーンを平面的に拡げたとき、その上端に、両端に係止溝４１０Ｅ、４１０Ｅを設けた板状の固定片４０Ｅの前記係止溝４１０Ｅ、４１０Ｅを係止させれば、ファイリング状物１０Ｅの開き角度を維持できる。
従って、ファイリング状物１０Ｅをスクリーン２０Ｅが平面的に拡げられるように開いて、液晶プロジェクター５０Ｅをスクリーン２０Ｅの前方又は後方において投光すれば、スクリーン２０Ｅに映像を投影することができ、小型のテーブル上で少人数に説明する場合に最適である。
【実施例６】
【００１４】
本発明映写用スクリーン卓上装置の実施例６が、図Ｆ−１乃至図Ｆ−４に示されている。本発明実施例６の映写用スクリーン卓上装置は、ファイリング状物１０Ｆとスクリーン２０Ｆと固定具３０Ｆとからなる。
ファイリング状物１０Ｆは、断面コ字状の書類綴じファイル状のもので、切抜き口１００Ｆを設けると共に、一方側１１Ｆ、１１Ｆの裏面に、スクリーン２０Ｆの両側端を固着し、閉じたときは、スクリーン２０Ｆを折れることなく曲げて畳むことができるように形成されている。また、ファイリング状物１０Ｆは、一方側１１Ｆ、１１Ｆを開いたときは、スクリーン２０Ｆを平面状に緊張して拡げられるように形成されている。その際に、下端１３Ｆに固定片３０Ｆ、上端に固定片４０Ｆを設けることは、実施例５の３０Ｅ、４０Ｅの場合と同じであるので、詳細説明は省略する。
従って、スクリーン２０Ｆが平面的に拡げられるように開いて、液晶プロジェクター５０Ｆをファイリング状物１０Ｆの表面側の後方において切抜き口１００Ｆを通して投光すれば、スクリーン２０Ｆに映像を投影することができ、スクリーン２０Ｆの前方に邪魔になるものがなく、小型のテーブル上で少人数に説明する場合に最適である。
【実施例７】
【００１５】
本発明映写用スクリーン卓上装置の実施例７が、図Ｇ−１乃至図Ｇ−４に示されている。本発明実施例７は、ファイリング状物１０Ｇとスクリーン２０Ｇと固定具３０Ｇとスプリング４０Ｇとからなる。
ファイリング状物１０Ｇは、断面コ字状の書類綴じファイル状のもので、一方側１１Ｇ、１１Ｇの裏面に、スクリーン２０Ｇの両側端を固着し、閉じたときは、スクリーン２０Ｇが折れることなく曲げ畳むことができるように形成されている。また、ファイリング状物１０Ｇは、開いたときは、スクリーン２０Ｇを平面状に緊張して拡げられるように形成されている。下端に固定片３０Ｇを設けることは、実施例５の３０Ｅの場合と同じであるので、詳細説明は省略する。また、ファイリング状物１０Ｇの他方側１２Ｇ、１２Ｇの折曲げ片１２１Ｇの中央位置にスプリング４０Ｇの両端を裏面側に固着して、ファイリング状物１０Ｇの開きを維持できるようにしている。
従って、ファイリング状物１０Ｇがスクリーン２０Ｇを平面的に拡げられるように開いて、液晶プロジェクター５０Ｇをスクリーン２０Ｇの前方において投光すれば、スクリーン１０Ｇに映像を投影することができる。
【実施例８】
【００１６】
本発明の実施例８が、図Ｈ−１乃至図Ｈ−４に示されている。本発明実施例８の映写用スクリーン卓上装置は、ファイリング状物１０Ｈとスクリーン２０Ｈと固定具４０Ｈからなる。
ファイリング状物１０Ｈは、断面コ字状の書類綴じファイル状のもので、一方側１１Ｈ、１１Ｈの裏面に、スクリーン２０Ｈの両側端を固着し、閉じたときは、スクリーン２０Ｈを折れることなく曲げて畳むことができるように形成されている。また、ファイリング状物１０Ｈは、開いたときは、スクリーン２０Ｈを平面状に緊張して拡げられるように形成されている。その際に、ファイリング状物１０Ｈの上端１４Ｈに、内側に折り曲げられた１対の折曲片からなる固定具４０Ｈがマジックテープ４１Ｈ、４２Ｈにより、スクリーン２０Ｈを平面的に拡げた状態の開き角度を維持できるように固定する。
従って、ファイリング状物１０Ｈをスクリーン２０Ｈが平面的に拡げられるように開いて、液晶プロジェクター５０Ｈをスクリーン２０Ｈの前方において投光すれば、スクリーン２０Ｈに映像を投影することができる。
【実施例９】
【００１７】
本発明の実施例９が、図Ｉ−１乃至図Ｉ−４に示されている。本発明実施例６の映写用スクリーン卓上装置は、ファイリング状物１０Ｉとスクリーン２０Ｉと固定具３０Ｉとからなる。
ファイリング状物１０Ｉは、断面コ字状の書類綴じファイル状のもので、一方側１１Ｉ、１１Ｉの裏面に、スクリーン２０Ｉの両側端を固着し、閉じたときは、スクリーン２０Ｉを折れることなく曲げて畳むことができるように形成されている。また、ファイリング状物１０Ｉは、一方側１１Ｉ、１１Ｉを開いたときは、スクリーン２０Ｉを平面状に緊張して拡げられるように形成されている。その際に、下端１３Ｉに軟質スポンジの固定具３０Ｉが嵌着している。
従って、スクリーン２０Ｉが平面的に拡げられるように開いて、液晶プロジェクター５０Ｉを投光すれば、スクリーン２０Ｉに映像を投影することができる。
【実施例１０】
【００１８】
本発明の実施例１０が、図Ｊ−１乃至図Ｊ−５に示されている。本発明実施例１０は、ファイリング状物１０Ｊとスクリーン２０Ｊと固定具３０Ｊとからなる。
ファイリング状物１０Ｊは、断面コ字状の書類綴じファイル状のもので、一方側１１Ｊ、１１Ｊの裏面に、スクリーン２０Ｊの両側端を固着し、閉じたときは、スクリーン２０Ｊが折れることなく曲げ畳むことができるように形成されている。また、ファイリング状物１０Ｊは、開いたときは、スクリーン２０Ｊを平面状に緊張して拡げられるように形成されている。その際、下端１３Ｊに固定板３１Ｊ及び３２Ｊからなる固定具３０Ｊを置く。
固定板３１Ｊは、スクリーン２０Ｊを平面的に開いたとき、一方側１１Ｊ、１１Ｊを溝３１１Ｊ、３１１Ｊに嵌入するもので、固定板３２Ｊも他方側１２Ｊ、１２Ｊを溝３２１Ｊに嵌入するものである。
従って、スクリーン２０Ｊが平面的に広げられるように開いて、液晶プロジェクター５０Ｊを投光すれば、スクリーン２０Ｊに映像を投影することができる。
【実施例１１】
【００１９】
本発明の実施例１１が、図Ｋ−１乃至図Ｋ−５に示されている。本発明実施例１１の映写用スクリーン卓上装置は、ファイリング状物１０Ｋとスクリーン２０Ｋと固定具３０Ｋからなる。
ファイリング状物１０Ｋは、断面コ字状の書類綴じファイル状のもので、一方側１１Ｋ、１１Ｋの裏面に、スクリーン２０Ｋの両側端を固着し、閉じたときは、スクリーン２０Ｋを折れることなく曲げて畳むことができるように形成されている。また、ファイリング状物１０Ｋは、開いたときは、スクリーン２０Ｋを平面状に緊張して拡げられるように形成されている。その際に、ファイリング状物１０Ｋの下端１３Ｋに、図Ｋ−５に示すように、柄３１Ｋを中心部に固着し溝３１１Ｋを設けた吸着板の前記溝３１１Ｋを嵌着できるようにした固定具３０Ｋを設けて、ファイリング状物１０Ｋがスクリーン２０Ｋを平面的に拡げた状態の開き角度を維持できるように卓上に固定する。
従って、ファイリング状物１０Ｋをスクリーン２０Ｋが平面的に拡げられるように開いて、液晶プロジェクター５０Ｋをスクリーン２０Ｋの前方において投光すれば、スクリーン２０Ｋに映像を投影することができる。
【実施例１２】
【００２０】
本発明の実施例１２が、図Ｌ−１乃至図Ｌ−４に示されている。本発明実施例１２の映写用スクリーン卓上装置は、ファイリング状物１０Ｌとスクリーン２０Ｌと固定具３０Ｌと固定具４０Ｌとからなる。
ファイリング状物１０Ｌは、断面コ字状の書類綴じファイル状のもので、一方側１１Ｌ、１１Ｌの裏面に、スクリーン２０Ｌの両側端を固着し、閉じたときは、スクリーン２０Ｌが折れることなく曲げ畳むことができるように形成されている。また、ファイリング状物１０Ｌは、開いたときは、スクリーン２０Ｌを平面状に緊張して拡げられるように形成されている。この際、上端１４Ｌ及び下端１３Ｌに棒状物からなる固定具４０Ｌ及び３０Ｌを設け、ファイリング状物１０Ｌの一方側１１Ｌ及び１１Ｌを閉じたとき、スクリーン２０Ｌが折れることなく曲げ畳めるように構造強度を強化すると共に、下端１３Ｌの粘着シート３１Ｌ付の固定具３０Ｌは一方側１１Ｌ及び１１Ｌを開いてスクリーン２０Ｌを平面状に拡げられるように、固定具３０Ｌの卓上固定のための摩擦力を利用すると共に、粘着シート３１Ｌの粘着力を利用して開き角度を維持できるようにしたものである。
なお、一方の側端１１Ｌには、マジックテープ１１１１Ｌ付きの折り返し片１１１Ｌを設けて、ファイリング状物１０Ｌを閉じたとき、マジックテープ１１１１Ｌとマジックテープ１１１２Ｌとの絡みにより確実に閉じることができる。
従って、ファイリング状物１０Ｌをスクリーン２０Ｌが平面的に拡げられるように開いて、液晶プロジェクター５０Ｌをスクリーン２０Ｌの前方において投光すれば、スクリーン２０Ｌに映像を投影することができる。
【実施例１３】
【００２１】
本発明の実施例１３が、図Ｍ−１乃至図Ｍ−４に示されている。本発明実施例１３の映写用スクリーン卓上装置は、ファイリング状物１０Ｍとスクリーン２０Ｍと固定具３０Ｍ及び４０Ｍとからなる。
ファイリング状物１０Ｍ（折込片１１１Ｌに相当するものはない。）、スクリーン２０Ｍ及び固定具３０Ｍは、実施例１２と同一であるので詳細説明は省略する。
上端１４Ｐには、一方側に、ファイリング状物１０Ｍが閉じたとき、１対の固定片３０Ｍ及び３０Ｍに対応する厚みの固定片４０Ｍが固着し、両者によって一方側１１Ｍ、１１Ｍが閉じられたとき、ファイリング状物１０Ｍの構造強度を維持してスクリーン２０Ｍに折目がつかないように保護している。
従って、スクリーン２０Ｍが平面的に広げられるように開いて、液晶プロジェクター５０Ｍを投光すれば、スクリーン２０Ｍに映像を投影することができる。
【実施例１４】
【００２２】
本発明の実施例１４が、図Ｎ−１乃至図Ｎ−４に示されている。本発明実施例１４の映写用スクリーン卓上装置は、ファイリング状物１０Ｎとスクリーン２０Ｎと固定具３０Ｎと固定具４０Ｎとからなる。
ファイリング状物１０Ｎ、スクリーン２０Ｎ及び固定具３０Ｎは、実施例１３と同一であるので詳細説明は省略する。
固定具４０Ｎは、ファイリング状物１０Ｎの他方側１２Ｎ、１２Ｎ近くに取りつけられる１対の取付片４１Ｎ、４１Ｎと他方側１２Ｎ、１２Ｎの折曲幅ａに相当する巾を有する幅維持片４２Ｎと折り曲げたときこれを支持する支持片４３Ｎとからなるので、ファイリング状物１０Ｎを折り曲げて閉じたとき、スクリーン２０Ｎを折目をつくることなく折り曲げることができるようにしたものである。
従って、スクリーン２０Ｎが平面的に広げられるように開いて、液晶プロジェクター５０Ｎを投光すれば、スクリーン２０Ｎに映像を投影することができる。
【実施例１５】
【００２３】
本発明の実施例１５が、図Ｐ−１乃至図Ｐ−４に示されている。本発明実施例１５の映写用スクリーン卓上装置は、ファイリング状物１０Ｐとスクリーン２０Ｐと固定具３０Ｐからなる。
ファイリング状物１０Ｐは、断面コ字状の書類綴じファイル状のもので、一方側１１Ｐ、１１Ｐの裏面に、スクリーン２０Ｐの両側端を固着し、閉じたときは、スクリーン２０Ｐを折れることなく曲げて畳むことができるように形成されている。また、ファイリング状物１０Ｐは、開いたときは、スクリーン２０Ｐを平面状に緊張して拡げられるように形成されている。その際に、ファイリング状物１０Ｐの下端１３Ｐ裏側に、断面角形のスポンジ細長材からなる固定片３０Ｐが固着し、上端１４Ｐには固定片３０Ｐと同一の固定片４０Ｐが固着し、両者によって一方側１１Ｐ、１１Ｐが閉じられたとき、ファイリング状物１０Ｐの構造強度を維持してスクリーン２０Ｐに折目がつかないように保護すると共に、一方側１１Ｐ、１１Ｐを開いて、スクリーンを平面的に拡げたとき、その下端の固定片３０Ｐによりファイリング状物１０Ｐの開き角度を維持できるように固定する。
従って、ファイリング状物１０Ｐをスクリーン２０Ｐが平面的に拡げられるように開いて、液晶プロジェクター５０Ｐをスクリーン２０Ｐの前方において投光すれば、スクリーン２０Ｐに映像を投影することができる。
【実施例１６】
【００２４】
本発明の実施例１６が、図Ｑ−１乃至図Ｑ−５に示されている。本発明実施例１６の映写用スクリーン卓上装置は、ファイリング状物１０Ｑとスクリーン２０Ｑと固定具３０Ｑ及び４０Ｑとからなる。
ファイリング状物１０Ｑは、断面コ字状の書類綴じファイル状のものを形成すると共に、一方側１１Ｑ、１１Ｑの裏面に、スクリーン２０Ｑの両側端を固着し、閉じたときは、スクリーン２０Ｑを折れることなく曲げて畳むことができるように形成されている。また、ファイリング状物１０Ｑは、一方側１１Ｑ、１１Ｑを開いたときは、スクリーン２０Ｑを平面状に緊張して拡げられるように形成されている。
固定具３０Ｑ及び４０Ｑは、図Ｑ−５に示すように、展開されたファイリング状物１０Ｑを折線を介して折込んだとき、折線３００Ｑ及び４００Ｑによる折込みにより形成した角形パイプ状物３０Ｑ及び４０Ｑを下端１３Ｑと上端１４Ｑ裏側に連設すると共に、下端１３Ｑに連設した角パイプ状物３０Ｑの下板には粘着シート３０１Ｑが貼着されるので、ファイリング状物１０Ｑを開いたとき、角形パイプ状物の３０Ｑ及び４０Ｑにより、スクリーン２０Ｑを平面的に拡げてファイリング状物１０Ｑの開き角度を固定できる。また、ファイリング状物１０Ｑを閉じたとき、角形パイプ状物の３０Ｑ及び４０Ｑにより、構造強度が維持されて、スクリーン２０Ｑを折れることなく折り曲げることができる。
従って、スクリーン２０Ｑが平面的に広げられるように開いて、液晶プロジェクター５０Ｑを投光すれば、スクリーン２０Ｑに映像を投影することができる。
【実施例１７】
【００２５】
本発明の実施例１７が、図Ｒ−１乃至図Ｒ−５に示されている。本発明実施例１７の映写用スクリーン卓上装置は、ファイリング状物１０Ｒとスクリーン２０Ｒと固定具３０Ｒとからなる。
ファイリング状物１０Ｒとスクリーン２０Ｒは、実施例１６の１０Ｑと２０Ｑと同一であるので詳細説明は省略する。
固定具４０Ｒ及び３０Ｒは、図Ｒ−５に示すように、折線４００Ｒ及び３００Ｒによる折込みにより形成した角形パイプ状物４０Ｒ及び３０Ｒを上端１４Ｒと下端１３Ｒ裏側に設ける。
従って、ファイリング状物１０Ｒを開いたとき、角形パイプ状物の３０Ｒ及び４０Ｒによりスクリーン２０Ｒを平面的に拡げてファイリング状物１０Ｒの開き角度を維持できる。また、ファイリング状物１０Ｒを閉じたとき、角形パイプ状物の３０Ｒ及び４０Ｒにより、構造強度が維持されて、スクリーン２０Ｒを折れることなく折り曲げることができる。
従って、スクリーン２０Ｒが平面的に広げられるように開いて、液晶プロジェクター５０Ｒを投光すれば、スクリーン２０Ｒに映像を投影することができる。
【産業上の利用可能性】
【００２６】
本発明品は、小型、軽量、製作容易で量産できる。
【符号の説明】
【００２７】
１０Ａ、１０Ｂ、１０Ｃ、１０Ｄ      箱状物
１０Ｅ、１０Ｆ、１０Ｇ、１０Ｈ、１０Ｉ、１０Ｊ、１０Ｋ、１０Ｌ、１０Ｍ、１０Ｎ、 １０Ｐ、１０Ｑ、１０Ｒ    ファイリング状物
２０Ａ、２０Ｂ、２０Ｃ、２０Ｄ、２０Ｅ、２０Ｆ、２０Ｇ、２０Ｈ、２０Ｉ、２０Ｊ、２０Ｋ、２０Ｌ、２０Ｍ、２０Ｎ、２０Ｐ、２０Ｑ、２０Ｒ        スクリーン
３０Ａ、３０Ｂ、３０Ｃ、３０Ｄ、３０Ｅ、３０Ｆ、３０Ｇ、３０Ｉ、３０Ｊ、３０Ｋ、３０Ｌ、３０Ｍ、３０Ｎ、３０Ｐ、３０Ｑ、３０Ｒ                固定具
４０Ｅ、４０Ｆ、４０Ｈ、４０Ｌ、４０Ｍ、４０Ｎ、４０Ｐ、４０Ｑ        固定具
【図Ａ−１】
2010176109.tif 000003
【図Ａ−２】
2010176109.tif 000004
【図Ａ−３】
2010176109.tif 000005
【図Ａ−４】
2010176109.tif 000006
【図Ａ−５】
2010176109.tif 000007
【図Ａ−６】
2010176109.tif 000008
【図Ａ−７】
2010176109.tif 000009
【図Ｂ−１】
2010176109.tif 000010
【図Ｂ−２】
2010176109.tif 000011
【図Ｂ−３】
2010176109.tif 000012
【図Ｂ−４】
2010176109.tif 000013
【図Ｃ−１】
2010176109.tif 000014
【図Ｃ−２】
2010176109.tif 000015
【図Ｃ−３】
2010176109.tif 000016
【図Ｃ−４】
2010176109.tif 000017
【図Ｄ−１】
2010176109.tif 000018
【図Ｄ−２】
2010176109.tif 000019
【図Ｄ−３】
2010176109.tif 000020
【図Ｄ−４】
2010176109.tif 000021
【図Ｅ−１】
2010176109.tif 000022
【図Ｅ−２】
2010176109.tif 000023
【図Ｅ−３】
2010176109.tif 000024
【図Ｅ−４】
2010176109.tif 000025
【図Ｅ−５】
2010176109.tif 000026
【図Ｅ−６】
2010176109.tif 000027
【図Ｅ−７】
2010176109.tif 000028
【図Ｅ−８】
2010176109.tif 000029
【図Ｆ−１】
2010176109.tif 000030
【図Ｆ−２】
2010176109.tif 000031
【図Ｆ−３】
2010176109.tif 000032
【図Ｆ−４】
2010176109.tif 000033
【図Ｇ−１】
2010176109.tif 000034
【図Ｇ−２】
2010176109.tif 000035
【図Ｇ−３】
2010176109.tif 000036
【図Ｇ−４】
2010176109.tif 000037
【図Ｈ−１】
2010176109.tif 000038
【図Ｈ−２】
2010176109.tif 000039
【図Ｈ−３】
2010176109.tif 000040
【図Ｈ−４】
2010176109.tif 000041
【図Ｉ−１】
2010176109.tif 000042
【図Ｉ−２】
2010176109.tif 000043
【図Ｉ−３】
2010176109.tif 000044
【図Ｉ−４】
2010176109.tif 000045
【図Ｊ−１】
2010176109.tif 000046
【図Ｊ−２】
2010176109.tif 000047
【図Ｊ−３】
2010176109.tif 000048
【図Ｊ−４】
2010176109.tif 000049
【図Ｊ−５】
2010176109.tif 000050
【図Ｋ−１】
2010176109.tif 000051
【図Ｋ−２】
2010176109.tif 000052
【図Ｋ−３】
2010176109.tif 000053
【図Ｋ−４】
2010176109.tif 000054
【図Ｋ−５】
2010176109.tif 000055
【図Ｌ−１】
2010176109.tif 000056
【図Ｌ−２】
2010176109.tif 000057
【図Ｌ−３】
2010176109.tif 000058
【図Ｌ−４】
2010176109.tif 000059
【図Ｍ−１】
2010176109.tif 000060
【図Ｍ−２】
2010176109.tif 000061
【図Ｍ−３】
2010176109.tif 000062
【図Ｍ−４】
2010176109.tif 000063
【図Ｎ−１】
2010176109.tif 000064
【図Ｎ−２】
2010176109.tif 000065
【図Ｎ−３】
2010176109.tif 000066
【図Ｎ−４】
2010176109.tif 000067
【図Ｐ−１】
2010176109.tif 000068
【図Ｐ−２】
2010176109.tif 000069
【図Ｐ−３】
2010176109.tif 000070
【図Ｐ−４】
2010176109.tif 000071
【図Ｑ−１】
2010176109.tif 000072
【図Ｑ−２】
2010176109.tif 000073
【図Ｑ−３】
2010176109.tif 000074
【図Ｑ−４】
2010176109.tif 000075
【図Ｑ−５】
2010176109.tif 000076
【図Ｒ−１】
2010176109.tif 000077
【図Ｒ−２】
2010176109.tif 000078
【図Ｒ−３】
2010176109.tif 000079
【図Ｒ−４】
2010176109.tif 000080
【図Ｒ−５】
2010176109.tif 000081